(57)【要約】【課題】  プレーヤー本体におけるＤＶＤをセットするトレーを出し入れする部分と電源オンオフ表示用発光部とをＬＥＤを用いずに、ＬＥＤが不要でコストダウンを図れる。【解決手段】  プレーヤー本体１のフロントパネル２の前面にＤＶＤをセットするトレー３の出し入れする開口部４を形成し、左右方向の一方側に蛍光表示管５が配置され他方側に電源オンオフ表示用発光部６を設け、フロントパネルの前面のトレーの出し入れする開口部の上側と下側に照明用発光部７、７を配置し蛍光表示管から導光管８ａ、８ｂ、８ｃを照明用発光部及び電源オンオフ表示用発光部まで配設し、蛍光表示管からの発光を導光管で照明用発光部と電源オンオフ表示用発光部に導光させ照明用発光部と電源オンオフ表示用発光部を発光させ、照明用発光部は後側に配置され前面に光反射用の凹凸部を形成した反射部材７ａとこの反射部材７ａの前側に配置し透明体の導光部材７ｂとで構成される。【選択図】  図１
2005166183.tif 000002
【特許請求の範囲】
【請求項１】
プレーヤー本体のフロントパネルの前面に、ＤＶＤをセットするトレーが出し入れされる開口部が形成され、その左右方向の一方側に蛍光表示管が配置されて、その他方側に電源オンオフ表示用発光部が設けられたＤＶＤプレーヤーにおいて、前記フロントパネルの前面における前記トレーが出し入れされる開口部の上側及び／又は下側に照明用発光部が配置され、前記蛍光表示管から導光管が前記照明用発光部及び電源オンオフ表示用発光部まで配設されていて、前記蛍光表示管からの発光を前記導光管で前記照明用発光部と前記電源オンオフ表示用発光部に導光させて、前記照明用発光部と電源オンオフ表示用発光部を発光させるように構成し、前記照明用発光部は、後側に配置され前面に光反射用の凹凸部が形成された反射部材と、この反射部材の前側に配置され透明体からなる導光部材とで構成され、前記フロントパネルには、その裏面側に各導管を離間させるための仕切り片が裏側に向けて突設されていることを特徴とするＤＶＤプレーヤー。
【請求項２】
プレーヤー本体のフロントパネルの前面に、ＤＶＤをセットするトレーが出し入れされる開口部が形成され、その左右方向の側方に蛍光表示管及び−電源オンオフ表示用発光部が設けられたＤＶＤプレーヤーにおいて、前記フロントパネルの前面における前記トレーが出し入れされる開口部の上側及び／又は下側に照明用発光部が配置され、前記蛍光表示管から導光管が前記照明用発光部及び電源オンオフ表示用発光部まで配設されていて、前記蛍光表示管からの発光を前記導光管で前記照明用発光部と前記電源オンオフ表示用発光部に導光させて、前記照明用発光部と電源オンオフ表示用発光部を発光させるように構成したことを特徴とするＤＶＤプレーヤー。
【請求項３】
前記電源オンオフ表示用発光部は、前記導光管の先端部の発光部で構成されている請求項２に記載のＤＶＤプレーヤー。
【請求項４】
前記照明用発光部は、後側に配置され後面に光反射用の白い塗料が塗布された反射部材と、この反射部材の前側に配置され透明体からなる導光部材とで構成されている請求項２又は３に記載のＤＶＤプレーヤー。
【発明の詳細な説明】
【技術分野】
【０００１】
本発明は、プレーヤー本体におけるトレーを出し入れする開口部の上側及び／又は下側を蛍光表示管からの導光管を用いて発光させるとともに、電源オンオフ表示用発光部も蛍光表示管からの導光管を用いて発光させるようにしたＤＶＤプレーヤーに関するものである。
【背景技術】
【０００２】
第１の従来技術は、複数の点状発光部を配設した発光表示部を備え、この点状発光部を発光して成る発光点の羅列により文字パターンを表現して発光表示を行う発光表示装置において、有色可視光を発光する発光手段と、蛍光光を発生する蛍光発生手段と、発光手段および蛍光発生手段によって生ずる有色可視光とを、点状発光部に導光する導光手段とにより構成されたものである。（例えば、特許文献１参照）。
【０００３】
ところが、これは、光ファイバー等の導光手段の先端を発光させるだけであって、この導光手段を用いて蛍光表示管等の発光を兼用したものではなかった。
【０００４】
第２の従来技術は、発光して表示を行う蛍光表示管（発光表示体）と、蛍光表示管の表示を制御するマイコン（制御手段）とを備える表示装置に、マイコンに制御されて発光するＬＥＤ（発光素子）と、蛍光表示管からの光を透過させるとともにＬＥＤからの光を反射させるハーフプリズム（半透鏡）とを設けた。蛍光表示管の表示にＬＥＤからの光を重ねることができ、動作状態を表示するための面積を大きくとることができるので、光を透過させない背景を有する蛍光表示管であっても、遠くから動作状態の表示を確認することができるものである。（例えば、特許文献３参照）。
【０００５】
ところが、これは、ＬＥＤを用いているものであった。
【特許文献１】特開平３−１３６０８９号公報
【特許文献３】特開２００２−６２８１７号公報
【発明の開示】
【発明が解決しようとする課題】
【０００６】
本発明は、上記した従来の実情に鑑みてなされたものであって、プレーヤー本体におけるＤＶＤをセットするトレーを出し入れする部分と電源オンオフ表示用発光部とをＬＥＤを用いることなく発光させることができて、ＬＥＤが不要でコストダウンを図れるＤＶＤプレーヤーを提供することを目的としている。
【課題を解決するための手段】
【０００７】
本発明は、上記課題を解決するために提案されたものであって、請求項１に記載の発明は、プレーヤー本体のフロントパネルの前面に、ＤＶＤをセットするトレーが出し入れされる開口部が形成され、その左右方向の一方側に蛍光表示管が配置されて、その他方側に電源オンオフ表示用発光部が設けられたＤＶＤプレーヤーにおいて、前記フロントパネルの前面における前記トレーが出し入れされる開口部の上側及び／又は下側に照明用発光部が配置され、前記蛍光表示管から導光管が前記照明用発光部及び電源オンオフ表示用発光部まで配設されていて、前記蛍光表示管からの発光を前記導光管で前記照明用発光部と前記電源オンオフ表示用発光部に導光させて、前記照明用発光部と電源オンオフ表示用発光部を発光させるように構成し、前記照明用発光部は、後側に配置され前面に光反射用の凹凸部が形成された反射部材と、この反射部材の前側に配置され透明体からなる導光部材とで構成され、前記フロントパネルには、その裏面側に各導管を離間させるための仕切り片が裏側に向けて突設されていることを特徴とするＤＶＤプレーヤー。
【０００８】
請求項２に記載の発明は、プレーヤー本体のフロントパネルの前面に、ＤＶＤをセットするトレーが出し入れされる開口部が形成され、その左右方向の側方に蛍光表示管及び電源オンオフ表示用発光部が設けられたＤＶＤプレーヤーにおいて、前記フロントパネルの前面における前記トレーが出し入れされる開口部の上側及び／又は下側に照明用発光部が配置され、前記蛍光表示管から導光管が前記照明用発光部及び電源オンオフ表示用発光部まで配設されていて、前記蛍光表示管からの発光を前記導光管で前記照明用発光部と前記電源オンオフ表示用発光部に導光させて、前記照明用発光部と電源オンオフ表示用発光部を発光させるように構成したことを特徴としている。
【０００９】
請求項３に記載の発明は、前記電源オンオフ表示用発光部は、前記導光管の先端部の発光部で構成されている。
【００１０】
請求項４に記載の発明は、前記照明用発光部は、後側に配置され後面に光反射用の白い塗料が塗布された反射部材と、この反射部材の前側に配置され透明体からなる導光部材とで構成されている。
【発明の効果】
【００１１】
請求項１に記載の発明によれば、プレーヤー本体におけるＤＶＤをセットするトレーを出し入れする部分と電源オンオフ表示用発光部とをＬＥＤを用いることなく発光させることができて、ＬＥＤが不要でコストダウンを図れる。更に、照明用発光部の後側に配置された反射部材の凹凸部で導光管からの発光を前面に向けて反射することができるので、前側の透明体からなる導光部材によって、プレーヤー本体のＤＶＤがセットされるトレーの部分を反射された明るい光で照明することができる。更に、フロントパネルの裏面側に設けられた仕切片によって、蛍光表示管からの光が異なるセグメントに接続された各導光管に届くことを防ぐことができる。
【００１２】
請求項２に記載の発明によれば、プレーヤー本体におけるＤＶＤをセットするトレーを出し入れする部分と電源オンオフ表示用発光部とをＬＥＤを用いることなく発光させることができて、ＬＥＤが不要でコストダウンを図れる。
【００１３】
請求項３に記載の発明によれば、電源オンオフ表示用発光部が導光管の先端部の発光部で構成されているために、電源オンオフ表示用発光部を必要とせずに、部品点数を削減できて、より一層のコストダウンを図ることができる。
【００１４】
請求項４に記載の発明によれば、照明用発光部の後側に配置された反射部材に塗布された白い塗料で導光管からの発光を前面に向けて反射することができるので、前側の透明体からなる導光部材によって、プレーヤー本体のＤＶＤがセットされるトレーの部分を反射された明るい光で照明することができる。
【発明を実施するための最良の形態】
【００１５】
以下、本発明に係るＤＶＤプレーヤーの実施の形態について、図を参照しつつ説明する。
【００１６】
図１は本発明のＤＶＤプレーヤーの第１実施形態を示す部分斜視図、図２は同プレーヤーの正面図、図３は同プレーヤーにおける照明用発光部の構造を示す拡大斜視図、図４（ａ）はフロントパネルの裏面側を示す部分斜視図、（ｂ）は蛍光表示管のセグメントの間に仕切片が位置する状態を示す概略部分正面図、（ｃ）はフロントパネルと蛍光表示管と仕切片と導光管の位置関係を示す側断面図である。
図である。
【００１７】
この第１実施形態のＤＶＤプレーヤーは、図１、図２に示すように、プレーヤー本体１のフロントパネル２の前面に、ＤＶＤをセットするトレー３が出し入れされる開口部４が形成され、その右側に蛍光表示管５が配置されて、その左側に電源オンオフ表示用発光部６が設けられている。更に、開口部４の上側と下側に照明用発光部７、７が配置されている。更に、照明用発光部７、７は、図３に示すように、後側に配置され前面に光反射用の凹凸部が形成された反射部材７ａと、この反射部材７ａの前側に配置され透明体からなる導光部材７ｂとで構成されている。そして、蛍光表示管５からの発光を導光管８ａ、８ｂ、８ｃで照明用発光部７、７と電源オンオフ表示用発光部６に導光させて、照明用発光部７、７と電源オンオフ表示用発光部６を発光させるようにしている。更に、図４（ａ）（ｂ）（ｃ）に示すように、フロントパネル２には、その裏面側に仕切片９、９が裏側に向けて突設されている。即ち、蛍光表示管５に形成されるセグメントａ、ｂ、ｃから各導光管８ａ、８ｂ、８ｃが出ていて、各セグメントａ、ｂ、ｃの間に各仕切片９、９が位置するようになっている。尚、図中符号１０はフロントパネル２の透明パネル、１１は基板である。
【００１８】
尚、電源オンオフ表示用発光部６は、導光管８ａの先端部の発光部で構成されていることが望ましい。また、照明用発光部７、７は、後側に配置され後面に光反射用の白い塗料が塗布された反射部材７ａと、この反射部材７ａの前側に配置され透明体からなる導光部材７ｂとで構成してもよいものである。
【００１９】
この第１実施形態によれば、プレーヤー本体１におけるＤＶＤをセットするトレー３を出し入れする部分と電源オンオフ表示用発光部６とをＬＥＤを用いることなく発光させることができて、ＬＥＤが不要でコストダウンを図れる。
【００２０】
更に、照明用発光部７、７の後側に配置された反射部材の凹凸部で導光管８ｂ、８ｃからの発光を前面に向けて反射することができるので、前側の透明体からなる導光部材７ｂによって、プレーヤー本体１のＤＶＤがセットされるトレー３の部分を反射された明るい光で照明することができる。更に、フロントパネル２の裏面側に設けられた仕切片９、９によって、蛍光表示管５からの光が異なるセグメントａ、ｂ、ｃに接続された各導光管８ａ、８ｂ、８ｃに届くことを防ぐことができる。
【００２１】
また、電源オンオフ表示用発光部６が導光管８ａの先端部の発光部で構成されているものは、電源オンオフ表示用発光部６を必要とせずに、部品点数を削減できて、より一層のコストダウンを図ることができる。更に、照明用発光部７、７の後側に配置された反射部材７ａの代わりに白い塗料が塗布されたものでは、この白い塗料で導光管８ｂ、８ｃからの発光を前面に向けて反射することができるので、前側の透明体からなる導光部材７ｂによって、プレーヤー本体１のＤＶＤがセットされるトレー３の部分を反射された明るい光で照明することができる。
【００２２】
図５は第２実施形態のＤＶＤプレーヤーを示すものである。
【００２３】
この第２実施形態のＤＶＤプレーヤーは、図５に示すように、トレー３がフロントパネル２の右側に配置され、その左側に蛍光表示管５が配置され、更にその左側に電源オンオフ用発光部６が設けられているものであって、左側の蛍光表示管５のトレー３の上側に照明用発光部７が設けられている。
【００２４】
この第２実施形態によれば、プレーヤー本体１におけるＤＶＤをセットするトレー３を出し入れする部分と電源オンオフ表示用発光部６とをＬＥＤを用いることなく発光させることができて、ＬＥＤが不要でコストダウンを図れる。
【図面の簡単な説明】
【００２５】
【図１】本発明のＤＶＤプレーヤーの第１実施形態を示す部分斜視図である。
【図２】同プレーヤーの正面図である。
【図３】同プレーヤーにおける照明用発光部の構造を示す拡大斜視図である。
【図４】（ａ）は第２実施形態のＤＶＤプレーヤーの要部であるフロントパネルの裏面側を示す部分斜視図、（ｂ）は蛍光表示管のセグメントの間に仕切片が位置する状態を示す概略部分正面図、（ｃ）はフロントパネルと蛍光表示管と仕切片と導光管の位置関係を示す側断面図である。
【図５】図５は第２実施形態のＤＶＤプレーヤーを示すものである。
【符号の説明】
【００２６】
１            プレーヤー本体
２            フロントパネル
３            トレー
４            開口部
５            蛍光表示管
６            電源オンオフ表示用発光部
７            照明用発光部
７ａ          反射部材
７ｂ          導光部材
８ａ          導光管
８ｂ          導光管
８ｃ          導光管
９            仕切片
１０          透明パネル
１１          基板
【図１】
2005166183.tif 000003
【図２】
2005166183.tif 000004
【図３】
2005166183.tif 000005
【図４】
2005166183.tif 000006
【図５】
2005166183.tif 000007